【手続補正書】
【提出日】平成18年4月6日(2006.4.6)
【手続補正１】
【補正対象書類名】明細書
【補正対象項目名】特許請求の範囲
【補正方法】変更
【補正の内容】
【特許請求の範囲】
【請求項１】  基地局（ＢＳ）と移動局（ＭＳ）との間で情報伝送するための方法において、
ａ）情報を少なくとも１つのネットワークプロバイダーに伝送するために、複数の周波数チャネル（ｆ）を含む周波数バンド（ｂ１）を使用し、
ｂ）情報の伝送を少なくとも一時的に無線信号を用いて実質的に１つの周波数チャネル（ｆ１）内で行い、
ｃ）周波数チャネル（ｆ）の搬送波周波数の配列を周波数バンド（ｂ１）内で、第１の粗いラスタスキームにしたがって行い、該粗いラスタスキームのラスタリングは実質的に周波数チャネルの幅に相応し、
ｄ）第２の微細なラスタスキームによる周波数チャネルは、第１の粗いラスタスキームに対してシフト可能であり、
ｅ）前記微細なラスタスキームの少なくとも定義領域を制限する、
ことを特徴とする情報伝送方法。
【請求項２】  移動局（ＭＳ）は、微細なラスタスキームの定義領域の制限についての情報に相応して、制限された周波数チャネルサーチだけを実行する、請求項１記載の方法。
【請求項３】  制限された周波数チャネルサーチを実行する際に、微細なラスタスキームの制限された定義領域の所定の値だけを優先的にサーチする、請求項２記載の方法。
【請求項４】  ａ）粗いラスタスキームと微細なラスタスキームとをそれぞれ変数情報（ｋ，ｎ）と定数情報により記述し、
ｂ）周波数チャネル（ｆ）は変数情報（ｋ，ｎ）と定数情報により一義的に記述可能であり、
ｃ）前記定数情報を移動局（ＭＳ）に記憶し、
ｄ）前記変数情報（ｋ，ｎ）を移動局（ＭＳ）に伝送する、請求項１から３までのいずれか１項記載の方法。
【請求項５】  ａ）粗いラスタスキームと微細なラスタスキームとをそれぞれ変数情報と定数情報により記述し、
ｂ）周波数チャネル（ｆ）はそれぞれ変数情報（ｋ，ｎ）と定数情報により一義的に記述可能であり、
ｃ）前記定数情報を基地局（ＢＳ）に記憶し、
ｄ）前記変数情報（ｋ，ｎ）を基地局（ＢＳ）に伝送する、請求項１から４までのいずれか１項記載の方法。
【請求項６】  ａ）情報の伝送をＣＤＭＡ方式に従って実行し、ここでＣＤＭＡコードによって拡散された無線信号を実質的に１つの周波数チャネル（ｆ１）内で伝送し、
ｂ）周波数チャネル（ｆ）の配列を、周波数チャネル（ｆ）間に存在する周波数間隔（ｄｅ，ｄｉ）により周波数チャネル（ｆ）の無線信号間の干渉が低減されるように行う、請求項１から５までのいずれか１項記載の方法。
【請求項７】  基地局（ＢＳ）と移動局（ＭＳ）との間で情報伝送するための方法において、
実質的に周波数チャネル内に存在する無線信号によって伝送を行い、
該無線信号は所定の周波数チャネル集合から取り出すことができ、
当該集合は相応の搬送波中央周波数ｍによって次式により記述可能である、
ｍ＝ｆ０＋ｎ＊ｆｓ＋ｋ＊２００ｋＨｚ、ただし
−ｋｍａｘ≦ｋ＜＋ｋｍａｘ、
０＜ｎ＜ｎｍａｘ
ｍ  搬送波中央周波数、
ｆｓ  搬送波間隔、
ｆ０  最小の搬送波中央周波数、
ことを特徴とする情報伝送方法。
【請求項８】  周波数チャネルをサーチするためにだけ、または優先された周波数チャネルが所定の周波数チャネル集合から引き出される周波数チャネルサーチ方法において、
前記集合は相応の搬送波中央周波数ｍにより次式により記述可能である、
ｍ＝ｆ０＋ｎ＊ｆｓ＋ｋ＊２００ｋＨｚ、ただし
−ｋｍａｘ≦ｋ＜＋ｋｍａｘ、
０＜ｎ＜ｎｍａｘ
ｍ  搬送波中央周波数、
ｆｓ  搬送波間隔、
ｆ０  最小の搬送波中央周波数、
ことを特徴とする情報伝送方法。
【請求項９】  周波数チャネルをサーチするためにだけ、または優先された周波数チャネルが所定の周波数チャネル集合から引き出される周波数チャネルサーチ方法において、
前記集合は相応の搬送波中央周波数ｍにより次式により記述可能である、
ｍ＝ｆ０＋ｎ＊ｆｓ＋ｋ＊２００ｋＨｚ、ただし
ｆ０  最小の中央周波数
ｎ＝ＵＲＲＦＣＮ  ｄｉｖ  Ｎｃ、
ｋ＝（ＵＡＲＦＣＮ  ｍｏｄ  Ｎｃ）−（Ｎｃ  ｄｉｖ  ２）、
Ｎｃ＝粗いラスタスキームにおける搬送波の周囲で可能な搬送配置の数、
ＵＡＲＦＣＮ＝使用される周波数チャネルの番号、
ことを特徴とする方法。
【請求項１０】  ａ）複数の周波数チャネル（ｆ）を含む周波数バンド（ｂ１）で情報を伝送するための手段（ＳＴＥ，ＨＦ，ＶＥ，ＡＮＴ）と、
ｂ）少なくとも微細なラスタスキームの定義領域の制限についての情報を記憶するための手段（ＳＰＥ）とを有する無線局（ＭＳ／ＢＳ）であって、
情報の伝送は少なくとも一時的に無線信号によって実質的に１つの周波数チャネル（ｆ１）内で行われ、
周波数チャネル（ｆ）の搬送波中央周波数の配列は周波数バンド（ｂ１）内で第１の粗いラスタスキームにしたがって、第２の微細なラスタスキームによる周波数チャネルの配列が第１の粗いラスタスキームに対してシフト可能であるように行われ、
該粗いラスタスキームのラスタリングは周波数チャネルの幅に実質的に相応する、
ことを特徴とする無線局。
【請求項１１】  微細なラスタスキームの定義領域の制限についての情報に相応して、制限された周波数チャネルサーチを実行する手段（ＳＴＥ，ＨＦ，ＶＥ，ＡＮＴ）を有する、請求項１０記載の無線局（ＭＳ／ＢＳ）。
【請求項１２】  粗いラスタスキームと微細なラスタスキームとを記述するために定数情報を記憶するための手段（ＳＰＥ）を有する、請求項１０または１１記載の無線局（ＭＳ／ＢＳ）。
【請求項１３】  周波数チャネルを記憶された定数情報と伝送された可変情報とから検出するための手段（ＳＴＥ）を有する、請求項１０から１２までのいずれか１項記載の無線局（ＭＳ／ＢＳ）。
【請求項１４】  ａ）情報をＣＤＭＡ方式に従って伝送するための手段（ＨＦ，ＳＴＥ，ＶＥ，ＡＮＴ）と、
ｂ）使用すべき周波数チャネル（ｆ、単数または複数）を配列するための手段（ＳＴＥ）とを有する無線局であって、
ＣＤＭＡコードによって拡散された無線信号は実質的に１つの周波数チャネル（ｆ）内で伝送され、
前記配列は、周波数チャネル（ｆ）間に存在する周波数間隔（ｄｅ，ｄｉ）により周波数チャネル（ｆ）の無線信号間の干渉が低減されるように行われる、請求項１０から１３までのいずれか１項記載の無線局（ＭＳ／ＢＳ）。
【請求項１５】  情報を伝送するための手段を有し、
実質的に周波数チャネル内に存在する無線信号によって伝送が行われ、
前記無線信号は所定の周波数チャネルの集合から取り出すことができ、
当該集合は相応の搬送波中央周波数ｍにより次式にしたがって記述可能である、
ｍ＝ｆ０＋ｎ＊ｆｓ＋ｋ＊２００ｋＨｚ、ただし
−ｋｍａｘ≦ｋ＜＋ｋｍａｘ、
０＜ｎ＜ｎｍａｘ
ｍ  搬送波中央周波数、
ｆｓ  搬送波間隔、
ｆ０  最小の搬送波中央周波数、
ことを特徴とする無線局（ＭＳ／ＢＳ）。
【請求項１６】  周波数チャネルサーチを制御するための制御装置（ＳＴＥ）を有する無線局（ＭＳ／ＢＳ）であって、
周波数チャネルサーチのためにだけ、または優先された周波数チャネルが所定の周波数チャネル集合から引き出され、
当該集合は相応の搬送波中央周波数によって次式にしたがって記述可能である、
ｍ＝ｆ０＋ｎ＊ｆｓ＋ｋ＊２００ｋＨｚ、ただし
−ｋｍａｘ≦ｋ＜＋ｋｍａｘ、
０＜ｎ＜ｎｍａｘ
ｍ  搬送波中央周波数、
ｆｓ  搬送波間隔、
ｆ０  最小の搬送波中央周波数、
ことを特徴とする無線局（ＭＳ／ＢＳ）。
【請求項１７】  周波数チャネルサーチを制御するための制御装置（ＳＴＥ）を有する無線局（ＭＳ／ＢＳ）であって、
周波数チャネルサーチのためにだけ、または優先された周波数チャネルが所定の周波数チャネル集合から引き出され、
当該集合は相応の搬送波中央周波数によって次式にしたがって記述可能である、
ｍ＝ｆ０＋ｎ＊ｆｓ＋ｋ＊２００ｋＨｚ、ただし
ｆ０  最小の中央周波数
ｎ＝ＵＲＲＦＣＮ  ｄｉｖ  Ｎｃ、
ｋ＝（ＵＡＲＦＣＮ  ｍｏｄ  Ｎｃ）−（Ｎｃ  ｄｉｖ  ２）、
Ｎｃ＝粗いラスタスキームにおける搬送波の周囲で可能な搬送配置の数、
ＵＡＲＦＣＮ＝使用される周波数チャネルの番号、
ことを特徴とする無線局（ＭＳ／ＢＳ）。